(57)【要約】【課題】  ブラジャーの着用時に、肩紐が肩からずり落ちないようにする。【解決手段】  肩紐１は伸縮性の織物１０からなり、織物１０は、表組織と裏組織からなる。  表組織は、表経糸１１と緯糸１２が交差して形成される。裏組織は、裏経糸１３，１４がそれぞれ緯糸１２と交差して形成される。裏経糸１３は、二つの裏経糸１３Ａ，１３Ｂがそれぞれ緯糸１２と異なる交差構造を有する。さらに、裏経糸１４は、二つの裏経糸１４Ａ，１４Ｂがそれぞれ緯糸１２と異なる交差構造を有する。裏組織がこのような交差構造となることにより、裏組織には凹凸が形成される。  伸縮性を有する共通糸１５を、緯糸１２と交差するように配置することによって、織物１０が伸縮性を有する。  織物１０でできた肩紐１を有するブラジャー２を着用することにより、肩紐のずり落ちを防ぐことができる。【選択図】図３
2013096048.tif 000002
【特許請求の範囲】
【請求項１】
表経糸と、該表経糸と交差する緯糸からなる、表組織と、
裏経糸と、該裏経糸と交差する緯糸からなる、裏組織と、
前記緯糸と交差する伸縮性の共通糸と、
からなる伸縮性織物の肩紐において、
前記表経糸は全て同じ太さであり、前記裏経糸は全て同じ太さであり、前記共通糸は全て同じ太さであり、且つ、前記緯糸は全て同じ太さであって、
前記肩紐の幅方向一端側の前記表経糸及び前記裏経糸を密に配置し、幅方向他端側の前記表経糸及び前記裏経糸を粗に配置することにより、
幅方向に湾曲させたことを特徴とする、肩紐。
【請求項２】
前記肩紐の幅方向一端側の前記表経糸と、幅方向他端側の前記表経糸は、該幅方向一端側の該表経糸１．２から１．３に対して該幅方向他端側の該表経糸１の割合で配置されていることを特徴とする、
請求項１記載の肩紐。
【発明の詳細な説明】
【技術分野】
【０００１】  本発明は、織物を使用したブラジャーの肩紐に関する。
【背景技術】
【０００２】  従来から、ブラジャー着用時に肩紐がずれることを防ぐため、肩紐を湾曲させたブラジャーがあった。
【先行技術文献】
【特許文献】
【０００３】
【特許文献１】特開２００８−３８３１５
【発明の概要】
【発明が解決しようとする課題】
【０００４】  特許文献１に記載の発明では、伸縮性のある経編生地を円弧状に切断して、ブラジャーの肩紐としている。このため、生地を円弧状に切断する必要がある。
さらに、編物であるため、生地の表面に凹凸がなく滑らかであり、滑りやすいという問題がある。【０００５】  また、肩紐を湾曲させるために、織物の経糸の太さを変えたり、生地を張り合わせて幅方向の緊締力を変えたものもあるが、これらの肩紐では幅方向において厚さが異なり、ブラジャーの着用時にアウターに響きやすいという問題がある。
【課題を解決するための手段】
【０００６】  表経糸と、表経糸と交差する緯糸からなる、表組織と、裏経糸と、裏経糸と交差する緯糸からなる、裏組織と、緯糸と交差する伸縮性の共通糸と、からなる伸縮性織物の肩紐において、表経糸は全て同じ太さであり、裏経糸は全て同じ太さであり、共通糸は全て同じ太さであり、且つ、緯糸は全て同じ太さであって、肩紐の幅方向一端側の表経糸及び裏経糸を密に配置し、幅方向他端側の表経糸及び裏経糸を粗に配置することにより、幅方向に湾曲させたことを特徴とする、肩紐を使用する。【０００７】  上記の肩紐において、肩紐の幅方向一端側の表経糸と、幅方向他端側の表経糸は、幅方向一端側の表経糸１．２から１．３に対して幅方向他端側の表経糸１の割合で配置されていることを特徴とする、肩紐を使用する。
【発明の効果】
【０００８】  肩の傾斜の首側に伸縮率の高いストラップ幅側端部が来るように配置し、外側に伸縮率の低いストラップ幅側端部が来るように配置することにより、形成されたカーブによって着用時のストラップのずり落ちを防ぎ、さらに、肩にかかる圧迫感を軽減し、肩にかかる圧力を一定に保つことが出来る。
【図面の簡単な説明】
【０００９】
【図１】本発明の実施形態の平面図である。
【図２】本発明の実施形態の背面図である。
【図３】本発明の織構造の平面図である。
【図４】本発明の織物を長さ方向に沿った任意の線で切断し、断面を簡略化した図である。
【図５】本発明の織組織の組織図である。
【図６】本発明の肩紐を使用したブラジャーを着用した状態の図である。
【発明を実施するための形態】
【００１０】  図１に示されているのは、本発明の実施形態である肩紐１である。肩紐１は、織物１０からなり、幅方向（図１中、横方向）において緊締力が異なり、幅方向に湾曲している。
【００１１】  図２は、図１の肩紐１の反対側を示しており、肩紐１を使用したブラジャーの着用時に、肌に接する側である。肌に接する側の肩紐１の表面には凹凸が形成され、ブラジャー着用時にすべることを防いでいる。
【００１２】  図３は、織物である肩紐１の織構造の組織図である。肩紐１に使用される織物１０の表組織は袋組織、裏組織は混合組織からなる。本発明では、織物１０の表面側を表組織、裏面側を裏組織というものとする。肩紐１においては、裏組織が肌に接する側となる。
【００１３】  まず、表組織について説明する。
表組織は表経糸１１Ａと表経糸１１Ｂの組織からなる。
表組織の表経糸１１Ａと１１Ｂは、ナイロンフィラメント又はナイロン加工糸からなる。緯糸１２も、同様にナイロンフィラメントからなる。表経糸１１Ａと１１Ｂは、緯糸１２と略直角に交差する。図４に示されているように、織物１０の表組織においては、表経糸１１Ａと１１Ｂが緯糸１２に対し、３回上がった後、１回下がる交差を繰り返す構造となっており、表経糸１１Ａと１１Ｂは、織物１０の長さ方向において、２つ位相がずれている。
なお、織物１０において使用される表経糸１１Ａと１１Ｂは、同じ太さで同じパワーを有する。なお、織物１０の幅方向両端の２本の表経糸を異なる太さとして、糸浮きを防止してもよい。同様に、緯糸１２も、全て同じ太さで同じパワーを有する。なお、表経糸１１Ａまたは１１Ｂの一部を、他の表経糸とは異なる６６ナイロン加工糸としてカーブの方向が認識できるようにしてもよい。
【００１４】  次に、裏組織について説明する。
裏組織は、緯糸１２との交差構造の異なる裏経糸１３Ａ、１３Ｂを使った組織と、緯糸１２との交差構造の異なる裏経糸１４Ａ、１４Ｂを使った組織からなり、表面に凹凸を形成する。
裏組織の各経糸１３，１４は、ナイロン加工糸からなる。各裏経糸１３，１４は緯糸１２と略直角に交差する。なお、織物１０において使用される各裏経糸１３，１４は、全て同じ太さで同じパワーを有する。同様に緯糸１２も全て同じ太さで同じパワーを有する。
【００１５】  図４に示されているように、裏組織では、裏経糸１３Ａは緯糸１２に対し、２回上がった後、２回下がり、さらに２回上がった後、５回下がり、２回上がった後、２回下がり、２回上がった後、７回下がる。裏経糸１３Ａと緯糸１２は、このような交差構造を繰り返す。裏経糸１３Ｂは緯糸１２に対し、２回上がった後、９回下がり、さらに２回上がった後、１１回下がる。裏経糸１３Ｂと緯糸１２は、このような交差構造を繰り返す。
【００１６】  さらに、裏経糸１４Ａは緯糸１２に対し、２回上がった後、２回下がり、さらに２回上がった後、７回下がり、２回上がった後、２回下がり、２回上がった後、５回下がる。裏経糸１４Ａと緯糸１２は、このような交差構造を繰り返す。裏経糸１４Ｂは緯糸１２に対し、２回上がった後、９回下がり、さらに２回上がった後、１１回下がる。裏経糸１４Ｂと緯糸１２は、このような交差構造を繰り返す。
【００１７】  裏組織の経糸１３，１４は、織物１０の幅方向（図３の左右方向）に１３Ａ，１３Ｂ，１３Ｂ，１３Ａ，１４Ａ，１４Ｂ，１４Ｂ，１４Ａの順に並ぶ。このような並びとすることにより、裏組織の表面に凹凸を形成することができる。
【００１８】  表経糸１１と裏経糸１３は、上から見た状態で、表糸１本配置した後、裏経糸１本を配置し、さらに表経糸２本を織物１０の幅方向に配置し、同様に、表経糸１１と裏経糸１４は、上から見た状態で表糸１本配置した後、裏経糸１本を配置し、さらに表経糸２本を織物１０の幅方向に配置する。さらに、緯糸１２は、上から見た状態で織物１０の長さ方向に配置される。
【００１９】  また、表組織と裏組織の共通糸１５が適宜配置される。図３においては、表経糸１１と裏経糸１３が合わせて４本につき共通糸１５が１本の割合で配置される。同様に、表経糸１１と裏経糸１４が合わせて４本につき共通糸１５が１本の割合で配置される。共通糸１５は、緯糸１２に対して１回あがった後、１回下がる。
共通糸１５は、ポリウレタン糸であり、経糸や緯糸に比べると伸縮性を有する。よって、共通糸１５を配置することにより、織物１０が伸縮性を有するようになる。なお、共通糸１５も全て同じ太さである。
本実施形態では、表経糸１１と裏経糸１３が合わせて４本、表経糸１１と裏経糸１４が合わせて４本につき共通糸１５を１本配置しているが、この構成でなくてもよいのはもちろんである。
なお、図４は、表経糸１１、裏経糸１３，１４、共通糸１５と緯糸１２の交差構造を理解するための図であって、実際の断面がこのようになっているわけではない。表経糸１１、裏経糸１３，１４、共通糸１５は、表組織、裏組織においてそれぞれ略同一平面上にあり、緯糸１２は全て略同一平面上にある。
【００２０】  また、緯糸１２のほつれを防ぐため、織物１０の幅方向の一端に、不図示の絡み糸を経糸と同じ方向に設けている。絡み糸は、緯糸１２と同時に編みこまれ、緯糸が解けないようになっている。解れ防止用糸としては、絡み糸を用いる以外に、熱融着糸を用いてもよい。織物１０の幅方向の一端に、不図示の熱融着糸を経糸と同じ方向に設けて緯糸１２と交差させ、熱圧着によって緯糸１２と一体化させる。
【００２１】  以上のような構成の織物１０において、幅方向の一端側の表経糸１１、裏経糸１３，１４を密に配置し、幅方向他端側のそれらの糸を粗に配置する。このようにすることによって、一端側と他端側のパワーが異なり、パワーの弱い他端側に織物が湾曲する。一端側の表経糸１１、裏経糸１３，１４が１．２から１．３に対し、他端側の表経糸１１、裏経糸１３，１４が１の割合であることが好ましいが、１．２７：１の割合であれば最適である。
【００２２】  このような構成にすることにより、一端側と他端側のパワー差を４から６％となり、所望の湾曲した織物を得ることができる。
【００２３】  この織物１０からできた肩紐１をブラジャー２に着用すると、図６の状態となる。肩紐１は４０センチの長さに対して、幅方向におおよそ２から３センチ湾曲する。さらに、肩紐１の肌側には、前述のように凹凸が形成されている。
【符号の説明】
【００２４】１  ブラジャーの肩紐
２  ブラジャー
１０  織物
１１  表経糸
１２  緯糸
１３  裏経糸
１４  裏経糸
１５  共通糸
【図１】
2013096048.tif 000003
【図２】
2013096048.tif 000004
【図３】
2013096048.tif 000005
【図４】
2013096048.tif 000006
【図５】
2013096048.tif 000007
【図６】
2013096048.tif 000008